(57)【要約】      （修正有）【課題】演奏者の視点の移動を低減させつつ、指揮者と楽譜とを演奏者に並行して視認させる。【解決手段】楽譜表示装置１１０は、指揮者１２０が指揮する位置と演奏者１３０が演奏する位置との間に配置されるコンバイナ２０６ａと、楽譜データを記憶するファイル管理部と、楽譜データから演奏者１３０の演奏する楽器に応じたパートの楽譜データを抽出するパートＩＤ管理部と、パートＩＤ管理部により抽出された楽譜データが示す楽譜画像５００をコンバイナ２０６ａに虚像５１０として表示させる表示制御部と、を備える。【選択図】図５
2014170087.tif 000002
【特許請求の範囲】
【請求項１】
指揮者が指揮する位置と演奏者が演奏する位置との間に配置されるコンバイナと、
楽譜データを記憶するファイル管理部と、
前記楽譜データから前記演奏者の演奏する楽器に応じたパートの楽譜データを抽出するパートＩＤ管理部と、
前記パートＩＤ管理部により抽出された楽譜データが示す楽譜画像を前記コンバイナに表示させる表示制御部と、
を備えることを特徴とする楽譜表示装置。
【請求項２】
前記パートＩＤ管理部は、前記楽譜データから、現在の演奏位置の前後の楽譜データを抽出し、
前記表示制御部は、鉛直方向に延びる軸を中心とした仮想円筒の表面に現在の演奏位置の前後の楽譜画像が貼り付けられたように表示し、前記現在の演奏位置に応じて前記仮想円筒を回転させながら表示することを特徴とする請求項１に記載の楽譜表示装置。
【請求項３】
前記パートＩＤ管理部は、前記楽譜データから、現在の演奏位置が含まれる小節部分と、その２つ先までの小節部分との楽譜データを抽出し、
前記表示制御部は、前記現在の演奏位置が含まれる小節部分を最も大きくかつ手前側にし、次の小節部分を前記現在の演奏位置が含まれる小節部分の上方奥側に一回り小さくし、さらに２つ先の小節部分を前記次の小節部分の上方奥側にさらに一回り小さくした楽譜画像を表示することを特徴とする請求項１に記載の楽譜表示装置。
【請求項４】
前記パートＩＤ管理部は、前記楽譜データから、現在の演奏位置が含まれる小節部分と、その前後の小節部分との楽譜データを抽出し、
前記表示制御部は、水平方向に延びる軸を中心とした仮想円筒の表面に現在の演奏位置が含まれる小節部分を中心として前後の小節部分が鉛直方向に沿って順に貼り付けられたような虚像画像を表示し、前記現在の演奏位置に応じて前記仮想円筒を回転させながら表示することを特徴とする請求項１に記載の楽譜表示装置。
【請求項５】
前記表示制御部は、前記演奏者が視認する際に、前記コンバイナより前記指揮者側に虚像として結像させる前記楽譜画像を前記コンバイナに表示させることを特徴とする請求項１から請求項４までのいずれかに記載の楽譜表示装置。
【請求項６】
親機および子機に相当する楽譜表示装置を備える楽譜表示システムであって、
前記親機に相当する楽譜表示装置は、
指揮者が指揮する位置と親機側演奏者が演奏する位置との間に配置される親機側コンバイナと、
親機側楽譜データを記憶する親機側ファイル管理部と、
前記親機側コンバイナに表示すべき楽譜の表示タイミングを示す表示信号を取得する楽譜情報処理部と、
前記親機側楽譜データから、前記表示信号および前記演奏者の演奏する楽器に応じたパートの親機側楽譜データを抽出する親機側パートＩＤ管理部と、
前記親機側パートＩＤ管理部により抽出された親機側楽譜データが示す楽譜を前記親機側コンバイナに表示させる親機側表示制御部と、
前記子機の楽譜表示装置に前記表示信号を同期信号として送信する親機側データ送受信制御部と、を備え、
前記子機に相当する楽譜表示装置は、
前記指揮者が指揮する位置と子機側演奏者が演奏する位置との間に配置される子機側コンバイナと、
子機側楽譜データを記憶する子機側ファイル管理部と、
前記親機の楽譜表示装置から前記同期信号を受信する子機側データ送受信制御部と、
前記子機側楽譜データから、前記同期信号および前記演奏者の演奏する楽器に応じたパートの子機側楽譜データを抽出する子機側パートＩＤ管理部と、
前記子機側パートＩＤ管理部により抽出された子機側楽譜データが示す楽譜を前記子機側コンバイナに表示させる表示制御部と、
を備えることを特徴とする楽譜表示システム。
【発明の詳細な説明】
【技術分野】
【０００１】
本発明は、指揮者と楽譜とを並行して容易に視認させる楽譜表示装置および楽譜表示システムに関する。
【背景技術】
【０００２】
従来、オーケストラ等の演奏時に使用される電子楽譜表示装置であって、演奏の進行に合わせて、ディスプレイに表示される楽譜のコントラストを変更する技術が提案されている（例えば、特許文献１）。
【先行技術文献】
【特許文献】
【０００３】
【特許文献１】特開２００４−１４５２１９号公報
【発明の概要】
【発明が解決しようとする課題】
【０００４】
上述した電子楽譜表示装置では、楽譜をディスプレイに表示しているので、演奏者は、演奏中に指揮者と楽譜とを交互に見なくてはならず、視点の移動が演奏の妨げになってしまう。
【０００５】
そこで本発明は、このような課題に鑑み、演奏者の視点の移動を低減させつつ、指揮者と楽譜とを演奏者に並行して視認させることが可能な楽譜表示装置および楽譜表示システムを提供することを目的としている。
【課題を解決するための手段】
【０００６】
上記課題を解決するために、本発明の楽譜表示装置は、指揮者が指揮する位置と演奏者が演奏する位置との間に配置されるコンバイナと、楽譜データを記憶するファイル管理部と、楽譜データから演奏者の演奏する楽器に応じたパートの楽譜データを抽出するパートＩＤ管理部と、パートＩＤ管理部により抽出された楽譜データが示す楽譜画像をコンバイナに表示させる表示制御部と、を備えることを特徴とする。
【０００７】
また本発明の楽譜表示システムは、親機および子機に相当する楽譜表示装置を備える楽譜表示システムであって、親機に相当する楽譜表示装置は、指揮者が指揮する位置と親機側演奏者が演奏する位置との間に配置される親機側コンバイナと、親機側楽譜データを記憶する親機側ファイル管理部と、親機側コンバイナに表示すべき楽譜の表示タイミングを示す表示信号を取得する楽譜情報処理部と、親機側楽譜データから、表示信号および演奏者の演奏する楽器に応じたパートの親機側楽譜データを抽出する親機側パートＩＤ管理部と、親機側パートＩＤ管理部により抽出された親機側楽譜データが示す楽譜を親機側コンバイナに表示させる親機側表示制御部と、子機の楽譜表示装置に表示信号を同期信号として送信する親機側データ送受信制御部と、を備え、子機に相当する楽譜表示装置は、指揮者が指揮する位置と子機側演奏者が演奏する位置との間に配置される子機側コンバイナと、子機側楽譜データを記憶する子機側ファイル管理部と、親機の楽譜表示装置から同期信号を受信する子機側データ送受信制御部と、子機側楽譜データから、同期信号および演奏者の演奏する楽器に応じたパートの子機側楽譜データを抽出する子機側パートＩＤ管理部と、子機側パートＩＤ管理部により抽出された子機側楽譜データが示す楽譜を子機側コンバイナに表示させる表示制御部と、を備えることを特徴とする。
【発明の効果】
【０００８】
本発明によれば、演奏者の視点の移動を低減させつつ、指揮者と楽譜とを演奏者に並行して視認させることが可能となる。
【図面の簡単な説明】
【０００９】
【図１】楽譜表示システムの概略的な構成を示した説明図である。
【図２】楽譜表示装置の概略的な構成を示した外観図である。
【図３】本体部の概略的な構成を示した機能ブロック図である。
【図４】表示モードを示した説明図である。
【図５】演奏者から視認される虚像の位置関係を示す図である。
【図６】親機に相当する楽譜表示装置の本体部の概略的な構成を示した機能ブロック図である。
【図７】子機に相当する楽譜表示装置の本体部の概略的な構成を示した機能ブロック図である。
【発明を実施するための形態】
【００１０】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１１】
（第１の実施形態）
図１は、楽譜表示システム１００の概略的な構成を示した説明図である。図１に示すように、楽譜表示システム１００は、複数の楽譜表示装置１１０（１１０ａ、１１０ｂ、１１０ｃ、…）で構成される。楽譜表示装置１１０は、指揮者１２０が指揮する位置と演奏者１３０が演奏する位置との間にそれぞれ配置され、２人の演奏者１３０（１３０ａ、１３０ｂ、１３０ｃ、…）に対してそれぞれ各自のパートの楽譜画像を虚像として表示する。なお、第１の実施形態においては各楽譜表示装置１１０がそれぞれ独立して楽譜画像を表示する。
【００１２】
図２は、楽譜表示装置１１０の概略的な構成を示した外観図である。図２に示すように、楽譜表示装置１１０は、鉛直方向の高さが調整可能な支持部２００の上端に本体部２０２が設けられ、支持部２００の所定の高さの位置に接続されるアーム部２０４ａおよび２０４ｂの先端にそれぞれコンバイナ２０６ａおよび２０６ｂが設けられ、コンバイナ２０６ａおよび２０６ｂに楽譜画像を虚像として表示する。アーム部２０４ａおよび２０４ｂは、それぞれ独立して可動でき、コンバイナ２０６ａおよび２０６ｂの角度および高さをそれぞれ調整することができる。演奏者１３０は、コンバイナ２０６ａまたは２０６ｂを通して指揮者１２０および楽譜画像が見易い位置に、支持部２００で大まかな高さを調整した後、アーム部２０４ａまたは２０４ｂでそれぞれコンバイナ２０６ａまたは２０６ｂの高さおよび角度を調整する。
【００１３】
図３は、本体部２０２の概略的な構成を示した機能ブロック図である。図３に示すように、本体部２０２は、入力部３００と、外部メディアＩＦ（Interface）部３０２と、アンテナ部３０４と、マイク３０６と、ＡＤＣ（Analog Digital Convertor）３０８と、ＲＧＢレーザー光源３１０と、ＭＥＭＳ（Micro Electro Mechanical Systems）ミラー３１２と、制御部３１４とを含んで構成される。なお、本体部２０２の各部はそれぞれのコンバイナ２０６ａおよび２０６ｂに対して１つずつ設けられるが、説明の便宜上、以下ではコンバイナ２０６ａに対してのみ説明する。
【００１４】
入力部３００は、例えばキーボタンやフットペダルで構成され、演奏者１３０からの入力を受け付ける。外部メディアＩＦ部３０２は、例えばＵＳＢ（Universal Serial Bus）装着装置やカードリーダーで構成され、ＵＳＢメモリやメディアカード等の外部メディアが接続される。外部メディアには、楽譜データ、および当該楽譜データに対する小節ナンバー、パートＩＤで管理されるパート譜、自動追尾に必要な情報等の各種情報が記憶される。アンテナ部３０４は、他の楽譜表示装置１１０や図示しない楽曲配信装置と無線通信を行う。マイク３０６は、演奏者１３０が演奏する楽器の音を集音する。ＡＤＣ３０８は、マイク３０６で集音された音をアナログ信号から制御部３１４で認識可能なデジタル信号に変換する。ＲＧＢレーザー光源３１０は、入力された楽譜画像の各画素に応じたレーザー光を照射する。ＭＥＭＳミラー３１２は、制御部３１４の制御に応じて移動し、ＲＧＢレーザー光源３１０から照射されたレーザー光を反射させてコンバイナ２０６ａに導く。
【００１５】
制御部３１４は、中央処理装置（ＣＰＵ）、プログラム等が格納されたＲＯＭ、ワークエリアとしてのＲＡＭ等を含む半導体集積回路で構成され、本体部２０２全体を制御する。また、制御部３１４は、上記プログラムを動作させて、ＵＩ（ユーザ・インターフェイス）制御部４００、ファイル管理部４０２、データ送受信制御部４０４、楽譜情報処理部４０６、音声解析部４０８、演奏自動追尾制御部４１０、楽譜編集制御部４１２、パートＩＤ管理部４１４、表示制御部４１６およびレーザー制御部４１８として機能する。
【００１６】
ＵＩ制御部４００は、演奏者１３０が入力部３００に入力する指示に応じて虚像を表示するよう各部を適宜制御する。例えば、ＵＩ制御部４００は、虚像の表示位置、虚像の大きさ、虚像の色を、入力部３００を介して演奏者１３０に選択させる。これは、演奏者１３０によるコンバイナ２０６ａの設定や演奏者１３０の眼の位置によって、指揮者１２０がコンバイナ２０６ａに透過して映る位置が異なり、また演奏者１３０によって虚像が見易い位置、大きさおよび色が異なるので、演奏者１３０の見易い状態を選択させるためである。またＵＩ制御部４００は、演奏者１３０が演奏する楽器に相当するパートＩＤを、入力部３００を介して入力させる。またＵＩ制御部４００は、楽譜画像５００（図４）を虚像として表示する際の表示モードを、入力部３００を介して演奏者１３０に選択させる。
【００１７】
図４は、表示モードを示した説明図である。図４に示すように、本実施形態において表示モードは、下記３つの表示モードに分類される。第１表示モードは、図４（ａ）に示すように、鉛直方向に延びる軸を中心とした仮想円筒の表面に、現在の演奏位置の前後の楽譜画像５００ａが貼り付けられたように表示し、現在の演奏位置に応じて仮想円筒を回転させながら表示するモードである。なお、楽譜画像５００の中心に近づくにつれて楽譜が大きくなるように表示してもよい。
【００１８】
第２表示モードは、図４（ｂ）に示すように、現在の演奏位置が含まれる小節部分を最も大きくかつ手前側にし、次の小節部分を現在の演奏位置が含まれる小節部分の上方奥側に一回り小さくし、さらに２つ先の小節部分を次の小節部分の上方奥側にさらに一回り小さくした楽譜画像５００ｂを表示するモードである。また現在の演奏位置を四角５０１で囲むように表示する。
【００１９】
第３表示モードは、図４（ｃ）に示すように、水平方向に延びる軸を中心とした仮想円筒の表面に現在の演奏位置が含まれる小節部分を中心として前後の小節部分の楽譜画像５００ｃが鉛直方向に順に貼り付けられたように表示し、現在の演奏位置に応じて仮想円筒を回転させながら表示するモードである。このモードでは現在の演奏位置を四角５０１で囲むように表示する。演奏者１３０は、好みによって第１表示モードから第３表示モードのいずれかを選択する。
【００２０】
図３に戻って、ＵＩ制御部４００は、虚像として表示する楽譜画像５００を自動で送る自動追尾モード、および虚像として表示する楽譜画像５００を手動で送る手動モードのどちらかを入力部３００を介して選択させる。
【００２１】
（自動追尾モード）
次に自動追尾モードが選択される場合について説明する。ファイル管理部４０２は、外部メディアＩＦ部３０２に接続された外部メディアから楽譜データおよび各種情報を読み込み、一時的に記憶する。データ送受信制御部４０４は、アンテナ部３０４を介して行われる他の楽譜表示装置１１０および楽譜データを配信する楽譜配信装置との無線通信を制御する。他の楽譜表示装置１１０または楽譜配信装置から楽譜データおよび各種情報が送信されてきた場合、データ送受信制御部４０４は、楽譜データおよび各種情報を受信してファイル管理部４０２に記憶させる。
【００２２】
楽譜情報処理部４０６は、ファイル管理部４０２に記憶されている楽譜データおよび各種情報を読み出し、楽譜データおよび各種情報を演奏自動追尾制御部４１０、楽譜編集制御部４１２およびパートＩＤ管理部４１４に送出する。
【００２３】
音声解析部４０８は、マイク３０６で集音されＡＤＣ３０８でデジタル信号に変換された演奏者１３０の演奏音を音声解析することにより特定し、その解析結果を演奏自動追尾制御部４１０に送出する。演奏自動追尾制御部４１０は、楽譜情報処理部４０６から送出された楽譜データと、音声解析部４０８から送出された解析結果とをマッチングすることにより演奏者１３０が現在演奏している演奏位置を検出する。そして演奏自動追尾制御部４１０は、検出された演奏位置に応じたコンバイナ２０６ａに表示すべき楽譜画像５００の表示タイミングを示す表示信号を楽譜情報処理部４０６およびパートＩＤ管理部４１４に送出する。
【００２４】
パートＩＤ管理部４１４は、楽譜情報処理部４０６から表示信号を受け取ると、楽譜データから、解析表示信号、入力されたパートＩＤおよび表示モードに応じた楽譜データを抽出して表示制御部４１６に送出する。パートＩＤ管理部４１４は、第１表示モードが選択されている場合、表示信号に示された演奏位置の前後の楽譜データを抽出する。またパートＩＤ管理部４１４は、第２表示モードが選択されている場合、表示信号に示された演奏位置が含まれる小節部分と、その２つ先までの小節部分の楽譜データを抽出する。またパートＩＤ管理部４１４は、第３表示モードが選択されている場合、表示信号に示された演奏位置が含まれる小節部分と、その前後の小節部分の楽譜データを抽出する。
【００２５】
楽譜編集制御部４１２は、演奏者１３０が演奏の練習中に入力部３００を介して書き込み等を行った場合、書き込まれた内容を表示信号に示される演奏位置に関連付けて書込情報として楽譜情報処理部４０６および表示制御部４１６に送出する。このとき楽譜情報処理部４０６は、ファイル管理部４０２を介して書込情報を外部メディアに書き込む。
【００２６】
表示制御部４１６は、パートＩＤ管理部４１４から送出された楽譜データおよび楽譜編集制御部４１２から送出された書込情報を、選択された虚像の表示位置、虚像の大きさ、虚像の色および表示モードに応じてコンバイナ２０６ａに虚像として表示するための楽譜画像５００を生成する。レーザー制御部４１８は、ＲＧＢレーザー光源３１０およびＭＥＭＳミラー３１２を制御し、表示制御部４１６により生成された楽譜画像５００の各画素に応じたレーザー光をＲＧＢレーザー光源３１０からＭＥＭＳミラー３１２を走査させながらコンバイナ２０６ａに照射することにより、コンバイナ２０６ａに楽譜画像５００を表示する。
【００２７】
図５は、演奏者から視認される虚像の位置関係を示す図である。図５に示すように、楽譜表示装置１１０によりコンバイナ２０６ａに表示された楽譜画像５００は、演奏者１３０が視認する場合、コンバイナ２０６ａの後方側（指揮者１２０側）に虚像５１０として結像される。これにより演奏者１３０は、選択した虚像の表示位置、虚像の大きさ、虚像の色および表示モードに応じた楽譜画像５００をコンバイナ２０６ａの後方側に結像される虚像５１０として指揮者１２０と共に視認することができる。
【００２８】
（手動モード）
手動モードが選択された場合、音声解析部４０８および演奏自動追尾制御部４１０は機能しない。またファイル管理部４０２、データ送受信制御部４０４、楽譜編集制御部４１２、パートＩＤ管理部４１４、表示制御部４１６およびレーザー制御部４１８は、自動追尾モードと同様に機能する。
【００２９】
楽譜情報処理部４０６は、外部メディアＩＦ部３０２に接続された外部メディアから読み込まれ、またはアンテナ部３０４およびデータ送受信制御部４０４を介して受信されファイル管理部４０２に記憶された楽譜データおよび各種情報を読み出し、楽譜データおよび各種情報を楽譜編集制御部４１２およびパートＩＤ管理部４１４に送出する。また楽譜情報処理部４０６は、演奏位置を送る指示、または演奏位置を戻す指示が入力部３００を介して入力される毎に、その指示に従ってコンバイナ２０６ａに表示すべき楽譜画像５００の演奏位置を示す表示信号を楽譜編集制御部４１２およびパートＩＤ管理部４１４に送出する。
【００３０】
楽譜編集制御部４１２は、演奏者１３０が書き込み等を行った場合、書き込まれた内容を表示信号に示される演奏位置に関連付けて書込情報として楽譜情報処理部４０６および表示制御部４１６に送出する。パートＩＤ管理部４１４は、表示信号、入力されたパートＩＤおよび表示モードに応じた楽譜データを抽出して表示制御部４１６に送出する。表示制御部４１６は、コンバイナ２０６ａに虚像として表示するための楽譜画像５００を生成する。レーザー制御部４１８は、表示制御部４１６により生成された楽譜画像５００をＲＧＢレーザー光源３１０およびＭＥＭＳミラー３１２によりコンバイナ２０６ａに照射させることにより、コンバイナ２０６ａに楽譜画像５００を表示する。これにより演奏者１３０は、選択した虚像の表示位置、虚像の大きさ、虚像の色および表示モードに応じ、自身で指示した演奏位置に対応する楽譜画像５００をコンバイナ２０６ａの後方側に結像される虚像５１０として指揮者１２０と共に視認することができる。
【００３１】
以上説明したように本実施形態にかかる楽譜表示装置１１０は、指揮者１２０が指揮する位置と演奏者１３０が演奏する位置との間に配置されたコンバイナ２０６ａに楽譜画像５００を虚像として表示することにより、楽譜画像５００と指揮者１２０とを演奏者１３０に同時に視認させることができる。かくして楽譜表示装置１１０は、演奏者１３０の視点の移動を低減させつつ、指揮者１２０と楽譜とを演奏者１３０に並行して視認させることができる。
【００３２】
また、コンバイナ２０６ａに表示された楽譜画像５００は、演奏者１３０が視認する場合、コンバイナ２０６ａの後方側（指揮者１２０側）に虚像５１０として結像される（図５参照）。したがって、楽譜表示装置１１０は、指揮者１２０と虚像５１０との間の前後方向の距離を、従来の楽譜を使用する場合の指揮者と楽譜との間の前後方向の距離と比して短くすることができる。これにより楽譜表示装置１１０は、演奏者１３０の指揮者１２０と楽譜画像５００との視点の移動において前後方向の視点の移動、すなわちピント調整を少なくすることができる。
【００３３】
（第２の実施形態）
ところでオーケストラにおいてはコンサートマスターの演奏に合わせて他の演奏者が演奏する場合がある。そこで、上述した第１の実施形態では、楽譜表示システム１００において楽譜表示装置１１０がそれぞれ独立して楽譜画像５００を表示しているが、１つの楽譜表示装置１１０に他の楽譜表示装置１１０が連動して楽譜画像５００を表示することもできる。第２の実施形態では、親機に相当する１つの楽譜表示装置１１０に、子機に相当する他の楽譜表示装置１１０が連動して楽譜画像５００を表示する場合について説明する。
【００３４】
第２の実施形態における楽譜表示システム１００（図１）は、コンサートマスターである演奏者１３０ａに使用され親機に相当する楽譜表示装置１１０ａに、他の演奏者１３０ｂ、１３０ｃ…に使用され子機に相当する楽譜表示装置１１０ｂ、１１０ｃ、…が連動して楽譜画像５００を表示するが、説明の便宜上、子機としては楽譜表示装置１１０ｂについてのみ説明する。
【００３５】
（親機）
図６は、親機に相当する楽譜表示装置１１０ａの本体部２０２の概略的な構成を示した機能ブロック図である。図６に示すように、親機として選択される楽譜表示装置１１０ａの本体部２０２は、第１の実施形態における本体部２０２と同様に、入力部３００と、外部メディアＩＦ部３０２と、アンテナ部３０４と、マイク３０６と、ＡＤＣ３０８と、ＲＧＢレーザー光源３１０と、ＭＥＭＳミラー３１２と、制御部３１４とを含んで構成される。また制御部３１４は、楽譜編集制御部４１２が機能しない以外は第１の実施の形態と同様に、ＵＩ制御部４００、ファイル管理部４０２、データ送受信制御部４０４、楽譜情報処理部４０６、音声解析部４０８、演奏自動追尾制御部４１０、パートＩＤ管理部４１４、表示制御部４１６およびレーザー制御部４１８として機能する。
【００３６】
まず、ＵＩ制御部４００は、虚像の表示位置、虚像の大きさ、虚像の色、パートＩＤ、表示モード、および自動追尾モードまたは手動モードを、入力部３００を介して選択させる。またＵＩ制御部４００は、楽譜表示装置１１０ａを親機として機能させるかまたは子機として機能させるかを、入力部３００を介して選択させる。
【００３７】
親機として機能させる場合、ファイル管理部４０２は、外部メディアＩＦ部３０２に接続された外部メディア、またはデータ送受信制御部４０４およびアンテナ部３０４を介して楽譜配信装置から送信される楽譜データおよび各種情報を取得し、当該楽譜データおよび各種情報を一時的に記憶する。またファイル管理部４０２は、一時的に記憶された楽譜データおよび各種情報をデータ送受信制御部４０４およびアンテナ部３０４を介して子機に相当する楽譜表示装置１１０ｂに送信する。
【００３８】
自動追尾モードが選択された場合を例に挙げて説明すると、楽譜情報処理部４０６は、ファイル管理部４０２に記憶される楽譜データおよび各種情報を読み出し、楽譜データおよび各種情報を演奏自動追尾制御部４１０およびパートＩＤ管理部４１４に送出する。
【００３９】
演奏自動追尾制御部４１０は、楽譜情報処理部４０６から送出された楽譜データと、音声解析部４０８から送出された解析結果とをマッチングすることにより検出される演奏位置を示す表示信号を楽譜情報処理部４０６およびパートＩＤ管理部４１４に送出する。このとき楽譜情報処理部４０６は、ファイル管理部４０２に表示信号を送出する。ファイル管理部４０２は、楽譜情報処理部４０６から送出された表示信号を同期信号として、子機に相当する楽譜表示装置１１０ｂに送信する。
【００４０】
パートＩＤ管理部４１４は、表示信号、入力されたパートＩＤおよび表示モードに応じた楽譜データを抽出して表示制御部４１６に送出する。表示制御部４１６は、コンバイナ２０６ａに虚像５１０として表示するための楽譜画像５００を生成する。レーザー制御部４１８は、表示制御部４１６により生成された画像をＲＧＢレーザー光源３１０およびＭＥＭＳミラー３１２によりコンバイナ２０６ａに照射させることにより、コンバイナ２０６ａに楽譜画像５００を表示する。
【００４１】
（子機）
図７は、子機に相当する楽譜表示装置１１０ｂの本体部２０２の概略的な構成を示した機能ブロック図である。図７に示すように、子機として選択される楽譜表示装置１１０ｂの本体部２０２は、第１の実施形態における本体部２０２と同様に、入力部３００と、外部メディアＩＦ部３０２と、アンテナ部３０４と、マイク３０６と、ＡＤＣ（Analog Digital Convertor）３０８と、ＲＧＢレーザー光源３１０と、ＭＥＭＳミラー３１２と、制御部３１４とを含んで構成されるが、外部メディアＩＦ部３０２、マイク３０６およびＡＤＣ３０８は動作しない。また制御部３１４は、音声解析部４０８、演奏自動追尾制御部４１０および楽譜編集制御部４１２が機能しない以外は第１の実施形態と同様に、ＵＩ制御部４００、ファイル管理部４０２、データ送受信制御部４０４、楽譜情報処理部４０６、パートＩＤ管理部４１４、表示制御部４１６およびレーザー制御部４１８として機能する。
【００４２】
まず、ＵＩ制御部４００は、虚像の表示位置、虚像の大きさ、虚像の色、演奏者１３０ａが演奏する楽器に相当するパートＩＤ、および表示モードを、入力部３００を介して選択させる。またＵＩ制御部４００は、楽譜表示装置１１０ｂを親機として機能させるかまたは子機として機能させるかを、入力部３００を介して選択させる。
【００４３】
子機として機能させる場合、データ送受信制御部４０４は、親機に相当する楽譜表示装置１１０ａから楽譜データおよび各種情報が送信されてきた際、当該楽譜データおよび各種情報を、アンテナ部３０４を介して受信してファイル管理部４０２に送出する。ファイル管理部４０２は、データ送受信制御部４０４から送出された楽譜データおよび各種情報を一時的に記憶する。楽譜情報処理部４０６は、ファイル管理部４０２に記憶される楽譜データおよび各種情報を読み出してパートＩＤ管理部４１４に送出する。
【００４４】
次に、データ送受信制御部４０４は、親機に相当する楽譜表示装置１１０ａから同期信号が送信される毎にその同期信号を、アンテナ部３０４を介して受信してファイル管理部４０２に送出する。ファイル管理部４０２は、データ送受信制御部４０４から送出された同期信号を一時的に記憶する。楽譜情報処理部４０６は、ファイル管理部４０２に記憶された同期信号が更新される毎に、ファイル管理部４０２から同期信号を読み出し、パートＩＤ管理部４１４に送出する。
【００４５】
パートＩＤ管理部４１４は、同期信号、入力されたパートＩＤおよび表示モードに応じた楽譜データを抽出して表示制御部４１６に送出する。表示制御部４１６は、コンバイナ２０６ａに虚像５１０として表示するための楽譜画像５００を生成する。レーザー制御部４１８は、表示制御部４１６により生成された画像をＲＧＢレーザー光源３１０およびＭＥＭＳミラー３１２によりコンバイナ２０６ａに照射させることにより、コンバイナ２０６ａに楽譜画像５００を表示する。
【００４６】
以上説明したように本実施形態にかかる楽譜表示装置１１０ｂ（子機）は、指揮者１２０と演奏者１３０との間に配置されたコンバイナ２０６ａに、例えばコンサートマスターが表示する楽譜画像５００に同期した楽譜画像５００を虚像５１０として表示する。これにより楽譜表示装置１１０ｂは、楽譜画像５００と指揮者１２０を演奏者１３０に同時に視認させることができるとともに、コンサートマスターを視認させる必要をなくすことができ、かくして演奏者１３０の視点の移動を低減させつつ、指揮者１２０と楽譜画像５００とを演奏者１３０に並行して視認させることができる。
【００４７】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００４８】
例えば、上述した実施形態では、楽譜画像５００をコンバイナ２０６ａに表示するようにしたが、楽譜画像５００に加えて、パートリーダーの映像や、観客席から見たオーケストラ全体の映像、コンサートマスターの映像等を合わせて表示するようにしてもよい。
【００４９】
また、上述した実施形態では、マイク３０６で集音されＡＤＣ３０８でデジタル信号に変換された音と楽譜データを演奏自動追尾制御部４１０でマッチングすることにより演奏位置を検出するようにしたが、演奏者１３０が演奏する楽器から直接電気的に取得して楽譜データとマッチングすることにより演奏位置を検出するようにしてもよい。
【００５０】
また、上述した実施形態では、アーム部２０４ａおよび２０４ｂを手動で可動させることによりコンバイナ２０６ａおよび２０６ｂの位置を調整させるようにしたが、アーム部２０４ａおよび２０４ｂにアクチュエータ、演奏者１３０に加速度センサが設けられ、演奏者１３０の動きを加速度センサにより検出して、演奏者１３０の動きに応じてアクチュエータによりアーム部２０４ａおよび２０４ｂを駆動させてコンバイナ２０６ａおよび２０６ｂを適正な位置に移動させるようにしてもよい。さらに指揮者１２０の顔認識を行うカメラや、指揮者１２０の持つタクトに設けられた発信機の信号を受信する受信部が設けられ、カメラや受信部により検出される指揮者１２０の移動に応じてアクチュエータによりアーム部２０４ａおよび２０４ｂを駆動させてコンバイナ２０６ａおよび２０６ｂを適正な位置に移動させるようにしてもよい。
【産業上の利用可能性】
【００５１】
本発明は、演奏者の視点の移動を低減させつつ、指揮者と楽譜とを演奏者に並行して視認させる楽譜表示装置および楽譜表示システムに利用することができる。
【符号の説明】
【００５２】
１００  …楽譜表示システム
１１０  …楽譜表示装置
２０２  …本体部
２０６ａ、２０６ｂ  …コンバイナ
４００  …ＵＩ制御部
４０２  …ファイル管理部
４０４  …データ送受信制御部
４０６  …楽譜情報処理部
４０８  …音声解析部
４１０  …演奏自動追尾制御部
４１２  …楽譜編集制御部
４１４  …パートＩＤ管理部
４１６  …表示制御部
４１８  …レーザー制御部
【図１】
2014170087.tif 000003
【図２】
2014170087.tif 000004
【図３】
2014170087.tif 000005
【図４】
2014170087.tif 000006
【図５】
2014170087.tif 000007
【図６】
2014170087.tif 000008
【図７】
2014170087.tif 000009